(57)【要約】【課題】十分な洗浄を確実に可能とする洗浄装置を提案する。【解決手段】自動車の外面をクリーニングする洗浄装置は、洗浄面に向けた吐出開口を備えたノズルを有する。洗浄媒体は抽出口を通じて供給される。洗浄媒体はスプレーとして洗浄面に達する。その際、特に汚れが固着していると、十分な洗浄作用が得られないことがある。十分な洗浄を確保するために、ノズルの吐出開口をスリット形状として形成すると共に、ノズルの吐出端部に備えたチャンネルの部分とする。洗浄媒体は、面的な液体シールドとして吐出する。この液体シールドは、吐出開口から吐出する際に既に洗浄面に面的に衝突する。チャンネルにより、洗浄媒体は均等にスリット形状の吐出開口に供給される。頑固な汚れでも完全に除去される。洗浄装置は、車外バックミラー、自動車のサイドウインドウ、ヘッドライト、テールランプ、カメラレンズ等のミラーグラスを洗浄するために使用される。【選択図】図１
2007508189.tif 000002
【特許請求の範囲】
【請求項１】
洗浄面に向けた少なくとも１個の吐出開口を有すると共に、少なくとも１個の洗浄媒体のための抽出口に結合した少なくとも１個のノズルを備える自動車の外面をクリーニングする洗浄装置において、ノズル（５，５b）の吐出開口（１５，１５b）を、スリット形状として形成すると共に、前記ノズル（５，５b）の吐出端部に備えたチャンネル（２３，２３b）の部分とすることを特徴とする洗浄装置。
【請求項２】
洗浄面（４′）の縁部に吐出開口（１５）を備えることを特徴とする、請求項１に記載の洗浄装置。
【請求項３】
洗浄面（４′）の一部分が前記チャンネル（２３）を限定することを特徴とする、請求項１又は２に記載の装置。
【請求項４】
前記ノズル（５b）の２個の壁部分（１４b，２８）が前記チャンネル（２３b）を限定することを特徴とする、請求項１又は２に記載の装置。
【請求項５】
前記チャンネル（２３，２３b）の奥行きは該チャンネルの高さよりも大きいことを特徴とする、請求項１乃至４のいずれか１項に記載の装置。
【請求項６】
前記チャンネル（２３，２３b）の奥行きは該チャンネルの高さより数倍も大きいことを特徴とする、請求項１乃至５のいずれか１項に記載の装置。
【請求項７】
前記チャンネル（２３，２３b）は一定の断面を有することを特徴とする、請求項１乃至６のいずれか１項に記載の装置。
【請求項８】
前記チャンネル（２３，２３b）は正面から見て概ね矩形の輪郭を有することを特徴とする、請求項１乃至７のいずれか１項に記載の装置。
【請求項９】
前記ノズル（５）は洗浄面（４′）を担持するホルダ（３）と一体化して形成されることを特徴とする、請求項１乃至８のいずれか１項に記載の装置。
【請求項１０】
好適には接着、クリップ、差込等によって、前記ノズル（５b）をミラーグラスホルダ（３b）に固定することを特徴とする、請求項１乃至８のいずれか１項に記載の装置。
【請求項１１】
抽出口（６，６b）を前記ノズル（５，５b）と一体化して形成することを特徴とする、請求項１乃至１０のいずれか１項に記載の装置。
【請求項１２】
前記ノズル（５，５b）を洗浄面（４′）のコーナー領域（７）に配置することを特徴とする、請求項１乃至１１のいずれか１項に記載の装置。
【請求項１３】
前記ノズル（５，５b）は洗浄面（４′）の少なくとも１個の縁部領域（１８）に亙って延在することを特徴とする、請求項１乃至１２のいずれか１項に記載の装置。
【請求項１４】
前記チャンネル（２３，２３b）の一方の壁部分（１４，１４b）は１個のステップを介して前記ノズル（５，５b）の内側（１９）に移行することを特徴とする、請求項４乃至１３のいずれか１項に記載の装置。
【請求項１５】
抽出口（６，６b）が洗浄面（４′）の後方に延在することを特徴とする、請求項１乃至１４のいずれか１項に記載の装置。
【請求項１６】
洗浄面（４′）は自動車の車外バックミラーのミラーグラス（４）の部分とすることを特徴とする、請求項１乃至１５のいずれか１項に記載の装置。
【請求項１７】
装着モジュールを備えることを特徴とする、請求項１乃至１６のいずれか１項に記載の装置。
【請求項１８】
導管（６，６b）が連通する供給室（１６）が、前記チャンネル（２３，２３b）に接続することを特徴とする、請求項１乃至１７のいずれか１項に記載の装置。
【発明の詳細な説明】
【技術分野】
【０００１】
本発明は，洗浄面に向けた少なくとも１個の吐出開口を有すると共に、少なくとも１個の洗浄媒体のための抽出口に結合した少なくとも１個のノズルを備える、自動車の外面をクリーニングする洗浄装置に関するものである。
【背景技術】
【０００２】
超疎水性コーティングを使用すると、水は自然に滴下すると共に、汚れ粒子を連行する。しかしながら、湿った汚れ粒子だけがコーティング表面に付着していると、超疎水性コーティングにも拘わらず、汚れ粒子が滴下せずに、付着したままのことがある。このような超疎水性コーティングは、自動車の車外バックミラーのミラーグラス、ヘッドライト、テールランプ、カメラレンズ、又はそれらのカバー、ウインドスクリーン、後尾灯、補助ブレーキ灯等に使用される。これらの車両部品については、十分な洗浄作用を得ることができない。これらの不利は、疎水性コーティングのみならず、従来の表面についても生じる。
【発明の開示】
【発明が解決しようとする課題】
【０００３】
本発明の課題は、十分な洗浄を確実に可能とする洗浄装置を提案することにある。
【課題を解決するための手段】
【０００４】
この課題を解決するため、本発明の装置は、ノズルの吐出開口をスリット形状として形成すると共に、ノズルの吐出端部に備えたチャンネルの部分とすることを特徴とする。
【０００５】
本発明の実施形態において、洗浄媒体は液体シールドとして吐出され、シールドは既に吐出開口から吐出する際に洗浄面に面的に衝突する。吐出開口は極めて狭くすることができるため、洗浄媒体は高速で洗浄面に衝突すると共に、頑固に付着した汚れを確実に除去する。洗浄媒体が吐出開口に均等に供給されるようにチャンネルを備える。吐出する液体シールドは洗浄面上の汚れ粒子を排除するため、固着した粒子でも確実に除去される。
【０００６】
洗浄面の一部分はチャンネルを限定するのが有利である。面の縁部まで洗浄可能とするのが最適である。好適には、洗浄装置が自動車の既存の洗浄システムに結合する。洗浄装置は、低コストで簡単な構造として形成される。
【０００７】
本発明の特徴については、従属請求項、詳細な説明及び図面に示したとおりである。
【発明を実施するための最良の形態】
【０００８】
以下、本発明を図示の好適な実施形態について更に具体的に説明する。
【０００９】
図１は、ミラーグラスホルダ３のコーナー領域に備えた洗浄装置２を有する車外バックミラー１の一部分を示している。ホルダは、公知のように、超疎水性コーティングを備えたミラーグラス４を担持する。ミラーグラスホルダ３は、ミラー脚部で車両に固定されたミラーハウジング（図示せず）に収納される。ミラーハウジングは、ミラー脚部に対し、車両の走行方向及びその反対方向に旋回可能となる。両方の旋回方向について、其々に１本の旋回軸線（２軸ミラー）又は唯一の旋回軸線（単軸ミラー）を備えることができる。ミラーヘッドは、パーキングポジションでも旋回可能とするのが有利である。
【００１０】
ミラーヘッドには、ミラーグラス４及び洗浄装置２のノズル５（後出する）を加熱するためのヒータ、少なくとも１個のフィールドライト、フラッシングライト、少なくとも１個のスピーカ、GPS‐モジュール、ミラーグラスホルダ３の電動調整用の駆動部、アンテナ、カメラ等を収納することができる。これらの装着素子は、車両製造者の要求に応じて、任意に組み合わせるか、あるいは其々に別個に備えることができる。
【００１１】
ミラー脚部には、フィールドライト、スピーカ等を収納することができる。これらの装着素子もまた、別個に備えるか、あるいは任意の組み合わせとして配置することができる。
【００１２】
洗浄装置２は、好適には水とする洗浄媒体のためのノズル５及び接続部６を備える。接続部６は、ケーブル（図示せず）を介して洗浄媒体の貯蔵容器に接続する。貯蔵容器は、車両のスクリーン洗浄装置及び／又はヘッドライト洗浄装置の容器とすることができる。車両内の適当な箇所に装着した専用の貯蔵容器を備えることができる。
【００１３】
洗浄装置２によって洗浄すべきミラーグラス４に塗布される洗浄媒体は、ポンプ（図示せず）又は制御可能なマルチバルブによって加圧下で貯蔵容器から接続部６に供給される。ノズル５及び接続部６は、適当なプラスチックから成るミラーグラスホルダ３と一体化して作製することができる。接続部６はミラーグラスホルダ３の後方に位置するため、洗浄媒体の供給管はブラインドで接続可能となる。導管を確実に固定可能とするため、接続部６の遊端８は、導管の装着方向にテーパ状に拡大するように形成される。
【００１４】
図１に示した実施形態において、洗浄装置２のノズル５はミラーグラス４のコーナー領域に配置される。ノズル５は、約９０°の角度領域に亙って延在すると共に、ミラーグラス４の壁部９は、僅かに離間してミラーグラス４の上側４′に対して平行に延在すると共に、ミラーグラスホルダ３の縁部１１に直角に連接する側方壁部１０へ直角に移行する。側方壁部１０は、ミラーグラス４の縁部１２に対し離間して位置する。洗浄装置２の壁部９，１０は、約９０°の角度領域に亙って延在する。
【００１５】
壁部の遊端縁部１３は、ミラーグラス４の方向へ僅かに湾曲し、平坦な端面１４を有する。この端面１４は、ミラーグラス４の上側４′に対して平行に延在すると共に、約９０°の角度領域に亙って延在する縦長のチャンネル２３を形成する。チャンネルの奥行きは、その高さより数倍も大とする。端面側のチャンネル開口は、概ね矩形とする狭いノズル開口１５を形成する。このノズル開口１５を通じて、洗浄媒体は十分に高い圧力下でノズル５から吐出される。ノズル開口１５は一定の角度領域に亙って延在するため、洗浄媒体は放射状ではなく、液体シールドとして面的に吐出される。それにより、ミラーグラス４の上面４′に存在する汚れ粒子には、洗浄すべき全面に亙って洗浄媒体が衝突し、ノズル５から外方へミラー縁部に向けて排除される。その結果、ミラーグラスの最適な洗浄が容易に実現する。端面１４とミラーグラス上側４′との離間距離は、チャンネル２３の奥行きより数倍も小とする。チャンネル２３の奥行きは、ノズル縁部９又はノズル開口１５の長さより相当に小とする。正面（図１の矢印P）から見ると、チャンネル２３は矩形の輪郭を有すると共に、ノズル５の外周の全幅に亙って延在するのが有利である。
【００１６】
接続部６を通じて供給される洗浄媒体は、先ず、分配室１６に達する。この分配室１６は、ノズル５の壁部９，１０によって外方へ、ミラーグラス４及びミラーグラスホルダ３の縁部１１，１２によって内方へ限定される。図１に示すように、分配室１６は端面側で正面壁１７，１８によって限定される。正面壁１７，１８は、壁部９，１０及びミラーグラスホルダ３と一体化して形成されると共に、チャンネル２３の側方縁部を形成する。
【００１７】
ミラーグラス４の可視サイド４′はチャンネル２３とノズル開口１５とを一方の側で限定するため、洗浄媒体は直にミラーグラス４に達する。壁部９の下方に位置するミラーグラス４の表面部分もまた、洗浄媒体によって完全に捕捉される。
【００１８】
端面１４又はチャンネル２３に連接して、分配室１６の内側１９は外方へ移行されるため、ステップ及び分配室１６の部分とする連接した広い室２４が形成される。室２４は、洗浄媒体の流れ方向に対して直角に残りの分配室１６より小とする長さを有する（図４）。このことは完全な洗浄に供する。ノズル開口１５又はチャンネル２３の前で断面が縮小することにより、洗浄媒体の流速が上昇するからである。
【００１９】
基本的には、ミラーグラス４の各コーナーに洗浄装置２を備えることができる。ミラーグラス４の２コーナー、３コーナー又は全ての４コーナーに各１個の洗浄装置２を配置することも可能である。
【００２０】
図２に示した実施形態は、洗浄装置２aが相当により大きな長さに亙って延在する点で従前の実施形態とは異なる。洗浄装置は、コーナー領域７から外側の側方縁部２０及び上方の長手方向縁部２１を経てミラーグラス４の内側の側方縁部２２の近傍まで延在する。洗浄媒体を供給するために接続部を備える。この接続部は、従前の実施形態と同様に形成された洗浄装置２aの適当な箇所に配置される。
【００２１】
長い洗浄装置２，２aを各１個の接続部が対応する２個以上の小房に分割することも可能である。洗浄媒体は、小房のノズル開口から其々に面的に吐出され、ミラーグラス４の全面に亙って衝突すると共に、面上の汚れ粒子を連行する。
【００２２】
洗浄装置２，２aを車外バックミラーのミラー脚部（図示せず）に備えることもできる。そのように配置することにより、洗浄媒体は自動車のサイドウインドウに衝突する。ノズル開口はスリット形状として形成され、洗浄媒体は液体シールドとして吐出される。
【００２３】
図６に示すように、洗浄装置２bは、装着個所に固定したセパレートのユニット又は装着モジュールとすることができる。固定は、接着、クリップ、差込等によって実現する。この場合、グラスホルダプレート３bは、装置２bの溝２６内で屈曲した縁部２５に固定される。溝２６は、ノズル５bと給水接続部６bとの間の比較的肉厚の遷移部分２７に延在する。給水接続部６bは、基本的に図１に示したものと同様に形成される。溝２３bは、従前の２実施形態とは異なり、互いに平行とする平坦な２端面１４b，２８によって限定される。これらの端面はノズル５bの一部分である。チャンネル２３bの端面２８は、ミラーグラス４の上側４′と同一平面に延在する。洗剤媒体がスリット形状のノズル開口１５bから吐出するや否や、直ちにミラーグラス上側４′に達する。スリット形状として形成することにより、従前の実施形態と同様に、洗浄液は薄い液体シールドとしてノズル開口１５bの長さに亙って吐出される。
【００２４】
端面２８及びミラーグラス上側４´は互いに直結する。したがって、洗浄媒体は問題なくミラーグラス上側４′に達する。ミラーグラス上側４′に接するノズル５bの端面２８の清浄な接続部を実現するため、端面はノズル５bの接続側２９に鋭角に連接する。
【００２５】
従前の実施形態と同様、面的な液体シールドはミラーグラス上側４′に位置する汚れの粒子を排除するため、頑固に付着した粒子も確実に剥ぎ取ることができる。
【００２６】
チャンネル２３bに接続する室２４bは、チャンネル２３bよりも高さが大であると共に、従前の実施形態の場合と同様に形成される。
【００２７】
ノズル５bは、図１〜図５に示したノズルと同じように形成される。洗浄装置２bは、図１に示すように、例えば、約９０°の角度領域に亙って延在することができる。しかしながら、図２に例示したように、ミラーグラス４の長手方向縁部領域に亙って延在することも可能である。
【００２８】
洗浄装置２，２a，２bは、自動車のヘッドライト、テールランプ、カメラレンズ、ウインドスクリーン、後尾灯、補助ブレーキ灯の統合又は分離した構成部品とすることができる。自明のことながら、様々な車両部品を洗浄可能とするために、複数個の洗浄装置を車両に備えることができる。
【００２９】
ポンプ又はマルチバルブは、手動によりオンオフ可能とする。センサの信号によってポンプ又はマルチバルブを作動することも可能である。センサは、洗浄面の汚染度を測定すると共に、一定の汚染度を超えるとオンオフ信号を発する。かくして、洗浄面は自動的にクリーニングされる。
【００３０】
洗浄面は疎水性又は超疎水性の被覆を備えることができる。洗浄装置２，２a，２bは、前記被覆を有しない面に対しても投入可能である。
【図面の簡単な説明】
【００３１】
【図１】本発明による装置を備える自動車の車外バックミラーの一部分を示す正面図である。
【図２】本発明による装置を備える第２実施形態を図１に対応して示す正面図である。
【図３】図１の線III−IIIに沿って破断して示す縦断面図である。
【図４】図３に示した細部IVを拡大して示す断面図である。
【図５】図１の矢印V方向から見て示す側面図である。
【図６】本発明による別の装置を図４に対応して示す拡大断面図である。
【符号の説明】
【００３２】
１  車外バックミラー
２，２a，２b  洗浄装置
３  ミラーグラスホルダ
３b  グラスホルダプレート
４  ミラーグラス
４′上側、上面
５，５b  ノズル  
６  接続部
８，１３  遊端
９，１０  壁部分  
１１，１２  縁部
１４，１４b，２８  端面
１５，１５b  ノズル開口
１６  分配室
１７，１８  正面壁
２０  外側の側方縁部
２１  上方の長手方向縁部  
２２  内側の側方縁部
２３，２３b  チャンネル
２４，２４b   広い室
２５  屈曲した縁部
２６  溝
２７  遷移部分
２９  接続側
【図１】
2007508189.tif 000003
【図２】
2007508189.tif 000004
【図３】
2007508189.tif 000005
【図４】
2007508189.tif 000006
【図５】
2007508189.tif 000007
【図６】
2007508189.tif 000008
【国際調査報告】
2007508189.tif 000009
2007508189.tif 000010
2007508189.tif 000011
2007508189.tif 000012